(57)【特許請求の範囲】
【請求項１】
コンピュータを、
三相電源の所定の２組みの各相間について電子式電力量計によって計測される有効電力値と無効電力値を計測値として入力する計測値入力手段と、電子式電力量計に接続する模擬負荷の定格容量と位相角を入力する負荷値入力手段と、前記負荷値入力手段に入力される前記模擬負荷の定格容量と位相角に基づいて求まる前記所定の２組みの各相間についての皮相電力値と相間電圧に対する線電流の位相差を基礎データとして取得する基礎データ取得手段と、前記基礎データ取得手段によって取得される前記基礎データから、電子式電力量計に接続される配線の各接続状態における、前記所定の２組みの各相間についての前記有効電力値と前記無効電力値を理論値として演算する理論値演算手段と、前記理論値演算手段によって演算される前記理論値と前記配線の各接続状態との関係を規定するテーブルを作成するテーブル作成手段と、前記計測値入力手段によって入力される前記計測値と前記テーブル作成手段によって作成されたテーブルに規定される前記理論値とを比較する比較手段と、前記計測値に最も近い値を持つ前記理論値を前記比較手段の比較結果から判別し、判別した前記理論値に応じた前記配線の接続状態を特定する判別手段と
して機能させるためのプログラム。
【請求項２】
コンピュータを、
三相電源の所定の２組みの各相間について前記コンピュータと別個に設けられる電子式電力量計によって計測され、前記電子式電力量計の外部通信ポートから出力される有効電力値と無効電力値を計測値としてセンサを介して前記外部通信ポートから入力する計測値入力手段と、前記所定の２組みの各相間についての皮相電力値と相間電圧に対する線電流の位相差を基礎データとして取得する基礎データ取得手段と、前記基礎データ取得手段によって取得される前記基礎データから、前記電子式電力量計の端子部に接続される配線の正常接続状態および誤接続状態を含む各接続状態における、前記所定の２組みの各相間についての前記有効電力値と前記無効電力値を理論値として演算する理論値演算手段と、前記理論値演算手段によって演算される前記理論値と前記配線の前記各接続状態との関係を規定するテーブルを作成するテーブル作成手段と、前記計測値入力手段によって入力される前記計測値と前記テーブル作成手段によって作成されたテーブルに規定される前記理論値とを比較する比較手段と、前記計測値に最も近い値を持つ前記理論値を前記比較手段の比較結果から判別し、判別した前記理論値に応じて、前記電子式電力量計の設置時に前記端子部に接続された前記配線の接続状態を正常接続状態か誤接続状態かのいずれかに特定する判別手段と
して機能させるための、電子式電力量計の配線接続状態判別プログラム。
【請求項３】
前記基礎データ取得手段は、前記配線の前記各接続状態で前記計測値入力手段によって入力される模擬負荷または実負荷の前記計測値から前記基礎データを演算して取得することを特徴とする請求項２に記載のプログラム。
【請求項４】
前記計測値入力手段は、前記所定の２組みの相間電圧間の電圧位相差を電子式電力量計から入力し、
前記比較手段は、さらに、前記計測値入力手段によって入力される前記電圧位相差と所定の電圧位相差とを比較し、
前記判別手段は、前記電圧位相差と前記所定の電圧位相差とについての前記比較手段の比較結果をさらに参照して、前記配線の接続状態を特定する
ことを特徴とする請求項１から請求項３のいずれか１項に記載のプログラム。
【発明の詳細な説明】
【技術分野】
【０００１】
本発明は、電子式電力量計に接続される配線の接続状態を判別するコンピュータプログラムに関するものである。
【背景技術】
【０００２】
従来、電子式電力量計に接続される配線の接続状態を判別する装置として、例えば、特許文献１に開示された正常計量確認装置がある。この正常計量確認装置は、模擬電力供給装置と電力量計誤差測定器とを組み合わせることで、需要家新設時の負荷がまだ稼働していない状態でも、計器故障や計量装置の誤結線を判定する。模擬電力供給装置は、計器およびＶＣＴ間に接続されるテストＳＷ１に嵌合するテストプラグと、降圧型のＴｒで形成される模擬負荷回路とを備える。正常計量確認装置は、予め記憶された誤差の閾値に基づき、電力量計誤差測定器が算出した誤差が閾値以下の場合に「誤結線無し」及び「計器の故障無し」と判定し、電力量計誤差測定器が算出した誤差が閾値を超過した場合に、「誤結線有り」または「計器の故障有り」と判定する。
【先行技術文献】
【特許文献】
【０００３】
【特許文献１】特許第６３７３０１９号公報
【発明の概要】
【発明が解決しようとする課題】
【０００４】
しかしながら、上記従来の正常計量確認装置では、電力量計における誤結線の有無を判定するのに、模擬電力供給装置と電力量計誤差測定器とを必要とする。このため、電力量計における誤結線の有無を判定するのに、これら装置を用意する必要があると共に、各装置間を結線等したりする煩雑な作業が必要とされて、簡易に誤結線の有無を判定することができなかった。
【課題を解決するための手段】
【０００５】
本発明はこのような課題を解決するためになされたもので、
コンピュータを、
三相電源の所定の２組みの各相間について電子式電力量計によって計測される有効電力値と無効電力値を計測値として入力する計測値入力手段と、電子式電力量計に接続する模擬負荷の定格容量と位相角を入力する負荷値入力手段と、負荷値入力手段に入力される模擬負荷の定格容量と位相角に基づいて求まる所定の２組みの各相間についての皮相電力値と相間電圧に対する線電流の位相差を基礎データとして取得する基礎データ取得手段と、基礎データ取得手段によって取得される基礎データから、電子式電力量計に接続される配線の各接続状態における、所定の２組みの各相間についての有効電力値と無効電力値を理論値として演算する理論値演算手段と、理論値演算手段によって演算される理論値と配線の各接続状態との関係を規定するテーブルを作成するテーブル作成手段と、計測値入力手段によって入力される計測値とテーブル作成手段によって作成されたテーブルに規定される理論値とを比較する比較手段と、計測値に最も近い値を持つ理論値を比較手段の比較結果から判別し、判別した理論値に応じた配線の接続状態を特定する判別手段と
して機能させるためのプログラムを構成した。
また、コンピュータを、
三相電源の所定の２組みの各相間についてコンピュータと別個に設けられる電子式電力量計によって計測され、電子式電力量計の外部通信ポートから出力される有効電力値と無効電力値を計測値としてセンサを介して外部通信ポートから入力する計測値入力手段と、所定の２組みの各相間についての皮相電力値と相間電圧に対する線電流の位相差を基礎データとして取得する基礎データ取得手段と、基礎データ取得手段によって取得される基礎データから、電子式電力量計の端子部に接続される配線の正常接続状態および誤接続状態を含む各接続状態における、所定の２組みの各相間についての有効電力値と無効電力値を理論値として演算する理論値演算手段と、理論値演算手段によって演算される理論値と配線の各接続状態との関係を規定するテーブルを作成するテーブル作成手段と、計測値入力手段によって入力される計測値とテーブル作成手段によって作成されたテーブルに規定される理論値とを比較する比較手段と、計測値に最も近い値を持つ理論値を比較手段の比較結果から判別し、判別した理論値に応じて、電子式電力量計の設置時に端子部に接続された配線の接続状態を正常接続状態か誤接続状態かのいずれかに特定する判別手段と
して機能させるための、電子式電力量計の配線接続状態判別プログラムを構成した。
【０００６】
本構成によれば、基礎データ取得手段により、電子式電力量計に接続される配線の各接続状態における、三相電源の所定の２組みの各相間についての皮相電力値と相間電圧に対する線電流の位相差が、基礎データとして取得される。理論値演算手段は、取得された基礎データから、配線の各接続状態における、所定の２組みの各相間についての有効電力値と無効電力値を理論値として演算する。演算された理論値は、配線の各接続状態との関係が、テーブル作成手段によって作成されるテーブルに規定される。テーブル作成手段によって作成されたテーブルに規定される理論値と、計測値入力手段によって入力された計測値とは比較手段によって比較され、比較手段の比較結果から、判別手段により、計測値に最も近い値を持つ理論値が判別される。電子式電力量計の配線の接続状態は、判別されたその理論値に対してテーブルに規定された配線の接続状態として特定される。
【０００７】
したがって、コンピュータを上記各手段として機能させるプログラムをコンピュータに実行させることで、電子式電力量計に接続される配線の接続状態を判別することができるようになる。このため、従来のように特別の装置を用意する必要なく、また、各装置間の結線等を行ったりする煩雑な作業をすることなく、簡易に、電子式電力量計に接続される配線の誤結線の有無を判定することが可能となる。
【０００８】
また、電子式電力量計の配線接続状態は、基礎データ取得手段によって所定の２組みの各相間についての皮相電力値と線電流の位相差が基礎データとして取得され、取得された基礎データに基づいて理論値演算手段によって理論値が演算されて、比較手段で理論値と計測値とが比較されることで、判別される。すなわち、電子式電力量計の配線接続状態は、理論値に有効電力値を用いることなく判別される。このため、比較手段における計測値との比較に用いられる理論値を得る際に、有効電力値を求めるために抵抗負荷に実際に電流を流す必要はなく、電力を消費して電気料金がかかることはない。また、抵抗負荷に電流を流さないので、発熱の問題が生じることもなく、また、抵抗負荷を用いることで模擬負荷が大型化することもない。
【００１０】
また、電子式電力量計に接続する模擬負荷の定格容量と位相角を入力する負荷値入力手段を備える構成によれば、模擬負荷として容量性負荷を用い、その定格容量と位相角を負荷値入力手段によって入力することで、皮相電力値の理論値は容量性負荷の定格容量として、位相差の理論値は容量性負荷の位相角として、基礎データ取得手段によって直ちに取得される。
【００１１】
また、本発明は、基礎データ取得手段が、配線の各接続状態で計測値入力手段によって入力される模擬負荷または実負荷の計測値から基礎データを演算して取得することを特徴とする。
【００１２】
本構成によれば、配線の各接続状態で計測値入力手段によって入力される模擬負荷または実負荷の計測値から、基礎データ取得手段の演算により、基礎データが取得される。このため、負荷値入力手段を備える必要がなく、コンピュータによって構成される機能手段が簡素化される。
【００１３】
また、本発明は、計測値入力手段が、所定の２組みの相間電圧間の電圧位相差を電子式電力量計から入力し、
比較手段が、さらに、計測値入力手段によって入力される電圧位相差と所定の電圧位相差とを比較し、
判別手段が、電圧位相差と所定の電圧位相差とについての比較手段の比較結果をさらに参照して、配線の接続状態を特定することを特徴とする。
【００１４】
本構成によれば、電子式電力量計から計測値入力手段によって入力される所定の２組みの相間電圧間の電圧位相差と所定の電圧位相差とが、比較手段によってさらに比較される。配線の接続状態は、判別手段によってその比較結果がさらに参照されて特定される。このため、理論値と計測値との比較だけでは判別することのできない配線の接続状態が特定されるようになり、配線の接続状態をより詳しく特定することが可能となる。
【発明の効果】
【００１５】
本発明によれば、簡易に、電子式電力量計に接続される配線の誤結線の有無を判定できる手段を提供することができる。
【図面の簡単な説明】
【００１６】
【図１】本発明の一実施の形態によるコンピュータプログラムが適用されるパーソナルコンピュータと電子式電力量計との接続図である。
【図２】図１に示すパーソナルコンピュータの内部構成を示すブロック図である。
【図３】一実施の形態によるコンピュータプログラムによって作成されるテーブルと電子式電力量計から入力される計測値とを対比して示す第１の表図である。
【図４】一実施の形態によるコンピュータプログラムによって作成されるテーブルと電子式電力量計から入力される計測値とを対比して示す第２の表図である。
【図５】一実施の形態によるコンピュータプログラムによって作成されるテーブルと電子式電力量計から入力される計測値とを対比して示す第３の表図である。
【図６】図５に示す第３の表図に続く表図である。
【発明を実施するための形態】
【００１７】
次に、本発明による電子式電力量計の配線接続状態判別コンピュータプログラムを実施するための形態について説明する。
【００１８】
図１は、本発明の一実施の形態による電子式電力量計の配線接続状態判別コンピュータプログラムがアプリケーションとして適用されるパーソナルコンピュータ（以下、ＰＣと記す）１と、電子式電力量計２との接続図である。
【００１９】
電子式電力量計２は、直方体状をした筐体に電子回路基板等の部品が内蔵されて構成されている。電子式電力量計２は、その正面に計測値を表示する表示部２ａを備え、その下方に各配線が接続される端子部２ｂを備える。本実施形態における電子式電力量計２は三相３線式で、三相電源の１相、２相および３相の電源配線からＶＴ（電圧変換器）を介して、端子部２ｂのＰ１端子、Ｐ２端子およびＰ３端子の各電源端子に電源電圧が印加される。Ｐ１端子はＶＴの出力端子１ｕに接続され、Ｐ２端子は接地される出力端子１ｖ，３ｕ、Ｐ３端子は出力端子３ｖに接続される。
【００２０】
ＶＴの出力端子１ｕ，１ｖ間には三相電源の１相，２相間の相間電圧が現れ、出力端子３ｕ，３ｖ間には三相電源の２相，３相間の相間電圧が現れる。したがって、Ｐ１端子，Ｐ２端子間には三相電源の１相，２相間の１側の相間電圧が印加され、Ｐ３端子，Ｐ２端子間には三相電源の３相，２相間の３側の相間電圧が印加される。ここで、１相，２相間および２相，３相間は、三相電源の所定の２組みの各相間を構成する。また、１側の相間電圧および３側の相間電圧は、三相電源の所定の２組みの相間電圧を構成する。
【００２１】
電子式電力量計２の配線接続状態の確認時、三相電源に実負荷６が接続されていないときには三相電源に模擬負荷３が接続される。三相電源に実負荷６が接続されているときには、模擬負荷３が接続されなくてもよいが、模擬負荷３が実負荷６と共に三相電源に接続されてもよい。本実施形態では、後述する理論値の取得時に三相電源に模擬負荷３が接続され、電子式電力量計２の配線接続状態の確認時に三相電源に実負荷６が接続される。
【００２２】
模擬負荷３は、電子式電力量計２の設置時におけるその配線接続確認用の負荷であり、予め負荷容量は分かっている。本実施形態では、模擬負荷３に１００[μＦ]の進相コンデンサが用いられ、その定格容量は７２６[ＶＡ]（定格電圧２００[Ｖ]，定格電流３．６３[Ａ]）であり、力率角である負荷の位相角は９０°である。実負荷６の接続により三相電源の１相、３相にはそれぞれ実負荷６の負荷容量に応じた線電流が流れる。三相電源の１相に流れる線電流は、１相の電源配線からＣＴ（電流変換器）の出力端子１Ｋ，１Ｌを介して、端子部２ｂの１Ｓ端子，１Ｌ端子間に検出され、３相に流れる線電流は、３相の電源配線からＣＴの出力端子３Ｋ，３Ｌを介して、端子部２ｂの３Ｓ，３Ｌ端子間に検出される。１Ｌ端子，３Ｌ端子はＰ２端子と共に接地される。
【００２３】
電子式電力量計２は、Ｐ１端子，Ｐ２端子間に印加される１側の相間電圧Ｐ１と１Ｓ端子，１Ｌ端子間に検出される１側の線電流Ｉ１とを乗算することで、符号付きの１側有効電力値Ｗ１および１側無効電力値ｖａｒ１を演算する。また、Ｐ３端子，Ｐ２端子間に印加される３側の相間電圧Ｐ３と３Ｓ端子，３Ｌ端子間に検出される３側の線電流Ｉ３とを乗算することで、符号付きの３側有効電力値Ｗ３および３側無効電力値ｖａｒ３を演算する。そして、１側有効電力値Ｗ１および３側有効電力値Ｗ３の合算有効電力値ΣＷ、並びに、１側無効電力値ｖａｒ１および３側無効電力値ｖａｒ３の合算無効電力値Σｖａｒを演算する。また、電子式電力量計２は、１側の相間電圧Ｐ１と３側の相間電圧Ｐ３との間の電圧位相差θp1-p3を演算する。
【００２４】
電子式電力量計２は、その正面に図示しない赤外線通信ポートおよび計量パルス出力ポートを持っている。この赤外線通信ポートからは、電子式電力量計２で計測される各種の計測データが電子式電力量計２の外部へ赤外線で出力される。本実施形態では、この計測データとして、有効電力量Ｗｈ、無効電力量ｖａｒｈ、有効電力（合算有効電力ΣＷ）、および無効電力（合算無効電力Σｖａｒ）等が出力される。また、赤外線通信ポートからは、電子式電力量計２の計器情報、および、電子式電力量計２に設定される設定情報も出力される。本実施形態では、この計器情報として、電子式電力量計２の製造番号および製造年を識別する計器ＩＤ、電子式電力量計２の相線式、定格電圧および定格電流が出力される。また、設定情報として、表示部２ａの表示値に対する乗率、ＶＴ・ＣＴの変成比定数、計量パルス出力ポートから出力される計量パルスのパルス種類、パルス定数およびパルス幅が出力される。
【００２５】
ＰＣ１は、赤外線通信ポートから出力される赤外線をセンサ４で検出し、ケーブル５を介して、電子式電力量計２で計測される各種の計測データを、その計器情報および設定情報と共に入力する。なお、本実施形態では、電子式電力量計２およびＰＣ１間の通信を赤外線通信で行っているが、ＲＳ４８５といったシリアル通信方式やカレントループ通信方式、無線通信方式といったその他の通信方式によっても、同様に行うことができる。
【００２６】
図２は、ＰＣ１内の概略構成を表わすブロック図である。ＰＣ１では、ＲＯＭ（読み出し専用メモリ）１１に記憶されたプログラムにしたがい、ＲＡＭ（読み書き可能メモリ）１２を一時記憶作業領域として、ＣＰＵ（中央演算処理装置）１３が種々の演算を行う。ＲＯＭ１１に記憶されたプログラムにしたがうこの演算により、ＣＰＵ１３は、コンピュータであるＰＣ１を、計測値入力手段２１，負荷値入力手段２２，基礎データ取得手段２３，理論値演算手段２４，テーブル作成手段２５，比較手段２６，判別手段２７，情報入力手段２８およびデータ出力手段２９として、機能させる。
【００２７】
計測値入力手段２１は、電子式電力量計２からセンサ４およびケーブル５を介して、所定の２組みの各相間について電子式電力量計２によって計測される有効電力値と無効電力値を始めとする各種の計測データを計測値として入力する。負荷値入力手段２２は、ＰＣ１のキーボード１４等から、電子式電力量計２に接続する模擬負荷３の定格容量と位相角を負荷値として入力する。基礎データ取得手段２３は、所定の２組みの各相間についての皮相電力値ＰＩ１，ＰＩ３と相間電圧Ｐ１，Ｐ３に対する線電流Ｉ１，Ｉ３の位相差θ１，θ３を基礎データとして取得する。本実施形態では、基礎データ取得手段２３は、負荷値入力手段２２に入力される模擬負荷３の定格容量と位相角に基づいて求まる皮相電力値ＰＩ１，ＰＩ３と位相差θ１，θ３を基礎データとして取得する。
【００２８】
本実施形態では、模擬負荷３として三相平衡負荷を採用するため、１側および３側の各皮相電力値ＰＩ１，ＰＩ３と各位相差θ１，θ３の理論値は、それぞれ等しくなり、模擬負荷３の負荷値から次の（１）式と（２）式に表わされる。
ＰＩ１＝ＰＩ３＝２００[Ｖ]×３．６３[Ａ]＝７２６[ＶＡ]  …（１）
θ１＝θ３＝９０°  …（２）
【００２９】
理論値演算手段２４は、基礎データ取得手段２３によって取得される基礎データから、電子式電力量計２に接続される配線の各接続状態における、所定の２組みの各相間についての有効電力値Ｗ１，Ｗ３と無効電力値ｖａｒ１，ｖａｒ３を理論値として、後述する計算式によって演算する。テーブル作成手段２５は、理論値演算手段２４によって演算される理論値と、配線の各接続状態との関係を規定するテーブルを作成する。比較手段２６は、計測値入力手段２１によって入力される計測値と、テーブル作成手段２５によって作成されたテーブルに規定される理論値とを比較する。判別手段２７は、計測値に最も近い値を持つ理論値を比較手段２６の比較結果から判別し、判別した理論値に応じた配線の接続状態を特定する。
【００３０】
本実施形態においては、計測値入力手段２１は、所定の２組みの相間電圧間である、１側の相間電圧Ｐ１と３側の相間電圧Ｐ３との間の電圧位相差θp1-p3を電子式電力量計２から入力する。比較手段２６は、さらに、計測値入力手段２１によって入力される電圧位相差θp1-p3と、所定の電圧位相差である、１側の相間電圧Ｐ１と３側の相間電圧Ｐ３との間の電圧位相差３００°とを比較する。判別手段２７は、電圧位相差θp1-p3と所定の電圧位相差３００°とについての比較手段２６の比較結果をさらに参照して、配線の接続状態を特定する。
【００３１】
情報入力手段２８は、電子式電力量計２からセンサ４およびケーブル５を介して、電子式電力量計２の計器情報と、電子式電力量計２に設定される設定情報を入力する。データ出力手段２９は、判別手段２７によって特定される配線の接続状態の情報を、情報入力手段２８によって入力される計器情報と設定情報と共にデータとして出力する。このデータ出力は、ＰＣ１に設けられたＵＳＢポート１５からＵＳＢ規格にしたがって行われてＰＤＦデータや表データとして出力されたり、プリンタ１６へ行われて紙に出力されたりする。
【００３２】
図３〜図６には、テーブル作成手段２５によって作成されるテーブルの一部が表わされている。このテーブルには、電子式電力量計２に接続される配線の各接続状態を表す接続図と、接続図に対応して各端子間の接続関係を表す接続端子対応表と、配線の各接続状態に対応する理論値の計算式およびベクトル図とが表されている。ベクトル図は、配線の各接続状態における、所定の２組みの相間電圧Ｐ１，Ｐ３と線電流Ｉ１，Ｉ３との相対位相の関係を表わしている。理論値の計算式は、理論値演算手段２４における有効電力値Ｗ１，Ｗ３と無効電力値ｖａｒ１，ｖａｒ３の理論値の算出に用いられ、その計算式で算出される図示しない計算結果は、理論値として、配線の各接続状態に対応してテーブルに規定される。
【００３３】
テーブルに規定される理論値の各値は、計測値入力手段２１によって入力される計測値の各値と、比較手段２６によって比較される。テーブルに並んで同図に記載される測定結果は、並んでいるテーブルに示される配線の接続状態時に計測値入力手段２１によって入力された計測値等の値を示す。測定結果に表わされるこれらの各計測値は、実負荷６としての模擬負荷が、ドライヤーなどの力率１．０の純抵抗のＲ負荷である場合と、進相コンデンサなどの力率０．０のコンデンサのＣ負荷である場合について、得られた値である
【００３４】
電子式電力量計２に接続される配線の接続状態の特定には、測定結果に表わされる、１側有効電力値Ｗ１[Ｗ]および１側無効電力値ｖａｒ１[ｖａｒ]、並びに、３側有効電力値Ｗ３[Ｗ]および３側無効電力値ｖａｒ３[ｖａｒ]と、電圧位相差θp1-p3との計測値だけが参照される。つまり、合算有効電力値ΣＷ[Ｗ]および合算無効電力値Σｖａｒ[ｖａｒ]と、１側電圧Ｖ１[Ｖ]および３側電圧Ｖ３[Ｖ]との計測値は、配線の接続状態の特定に際して参照されない。１側電圧Ｖ１および３側電圧Ｖ３の値は、三相電源配線が電子式電力量計２に接続されていることを確認する程度に用いられる。
【００３５】
図３の上段に示すテーブルには、電子式電力量計２に接続される配線の正常接続時における接続図および接続端子対応表並びに理論値計算式およびベクトル図が示されている。配線の正常接続時における有効電力値Ｗ１，Ｗ３と無効電力値ｖａｒ１，ｖａｒ３の理論値は、基礎データである皮相電力ＰＩ１，ＰＩ３と位相差θ１，θ３に基づいて、同テーブルに示す次の（３-１）〜（３-４）式を用いて算出される。これら各式によって算出される理論値は、テーブル作成手段２５によって配線の正常接続に対応してテーブルに記憶される。
Ｗ１＝ＰＩ１ｃｏｓ（θ１＋３０°）  …（３-１）
ｖａｒ１＝ＰＩ１ｓｉｎ（θ１＋３０°）  …（３-２）
Ｗ３＝ＰＩ３ｃｏｓ（θ３−３０°）  …（３-３）
ｖａｒ３＝ＰＩ３ｓｉｎ（θ３−３０°）  …（３-４）
【００３６】
配線の正常接続時におけるテーブルに並ぶ測定結果は、配線の正常接続時に計測値入力手段２１によって電子式電力量計２から入力された実負荷６についての計測値であるこれら計測値の有効電力値Ｗ１，Ｗ３と無効電力値ｖａｒ１，ｖａｒ３の値は、テーブル作成手段２５によって作成されたテーブルで配線の正常接続状態に対して規定される、（３-１）〜（３-４）式で計算される図示しない理論値に最も近い値となっている。したがって、判別手段２７により、計測値に最も近い値を持つその理論値が比較手段２６の比較結果から判別され、判別された理論値に応じた配線の接続状態として、正常接続状態が特定される。
【００３７】
また、図３のテーブルＮｏ．Ｅ１には、電圧回路配線のみの誤接続時における接続図および接続端子対応表並びに理論値計算式およびベクトル図が示されている。電圧回路配線のみの誤接続時における接続図および接続端子対応表並びに理論値計算式およびベクトル図は、図示するテーブルＮｏＥ１以外にも、それに続くテーブルが存在するが、それらの図示は省略する。
【００３８】
テーブルＮｏ．Ｅ１には、ＶＴの出力端子１ｕと出力端子１ｖとの配線接続に誤接続がある場合が規定されている。つまり、接続図に破線で示される配線、および、接続端子対応表に斜体の太字で示されるように、Ｐ１端子がＶＴの出力端子１ｕに接続されるべきところ出力端子１ｖに誤接続され、Ｐ２端子がＶＴの出力端子１ｖ，３ｕおよびＧ（グランド・接地）に接続されるべきところ出力端子１ｕ，３ｕおよびＧに誤接続されている。
【００３９】
この配線の誤接続時における有効電力値Ｗ１，Ｗ３と無効電力値ｖａｒ１，ｖａｒ３の理論値は、基礎データである皮相電力ＰＩ１，ＰＩ３と位相差θ１，θ３に基づいて、同テーブルに示す次の（４-１）〜（４-４）式を用いて算出される。これら各式によって算出される理論値は、テーブル作成手段２５によって配線の上記誤接続に対応してテーブルに記憶される。
Ｗ１＝ＰＩ１ｃｏｓ（θ１−１５０°）  …（４-１）
ｖａｒ１＝ＰＩ１ｓｉｎ（θ１−１５０°）  …（４-２）
Ｗ３＝ＰＩ３ｃｏｓ（θ３−３０°）  …（４-３）
ｖａｒ３＝ＰＩ３ｓｉｎ（θ３−３０°）  …（４-４）
【００４０】
テーブルＮｏ．Ｅ１に並ぶ測定結果は、ＶＴの出力端子１ｕと出力端子１ｖとの配線接続に上記誤接続がある時に計測値入力手段２１によって電子式電力量計２から入力された実負荷６についての計測値である。これら計測値の有効電力値Ｗ１，Ｗ３と無効電力値ｖａｒ１，ｖａｒ３の値は、テーブル作成手段２５によって作成されたテーブルで配線の上記誤接続状態に対して規定される、（４-１）〜（４-４）式で計算される図示しない理論値に最も近い値となっている。したがって、判別手段２７により、計測値に最も近い値を持つその理論値が比較手段２６の比較結果から判別され、判別された理論値に応じた配線の接続状態として、ＶＴの出力端子１ｕと出力端子１ｖとの配線接続に上記誤接続がある誤接続状態が特定される。
【００４１】
また、図４のテーブルＮｏ．Ａ１およびＮｏ．Ａ２には、電流回路配線のみの誤接続時における接続図および接続端子対応表並びに理論値計算式およびベクトル図が示されている。電流回路配線のみの誤接続時における接続図および接続端子対応表並びに理論値計算式およびベクトル図は、図示するテーブルＮｏ．Ａ１およびＮｏ．Ａ２以外にも、それに続くテーブルが存在するが、それらの図示は省略する。
【００４２】
テーブルＮｏ．Ａ１には、１Ｓ端子と1Ｌ端子との配線接続に誤接続がある場合が規定されている。つまり、接続図に破線で示される配線、および、接続端子対応表に斜体の太字で示されるように、１Ｓ端子がＣＴの出力端子１Ｋに接続されるべきところ出力端子１ＬおよびＧに誤接続され、1Ｌ端子がＣＴの出力端子１ＬおよびＧに接続されるべきところ出力端子１Ｋに誤接続されている。この配線の誤接続時における有効電力値Ｗ１，Ｗ３と無効電力値ｖａｒ１，ｖａｒ３の理論値は、基礎データである皮相電力ＰＩ１，ＰＩ３と位相差θ１，θ３に基づいて、同テーブルに示す次の（５-１）〜（５-４）式を用いて算出される。これら各式によって算出される理論値は、テーブル作成手段２５によって配線の上記誤接続に対応してテーブルに記憶される。
Ｗ１＝ＰＩ１ｃｏｓ（θ１＋２１０°）  …（５-１）
ｖａｒ１＝ＰＩ１ｓｉｎ（θ１＋２１０°）  …（５-２）
Ｗ３＝ＰＩ３ｃｏｓ（θ３＋３３０°）  …（５-３）
ｖａｒ３＝ＰＩ３ｓｉｎ（θ３＋３３０°）  …（５-４）
【００４３】
テーブルＮｏ．Ａ１に並ぶ測定結果は、１Ｓ端子と1Ｌ端子との配線接続に上記誤接続がある時に計測値入力手段２１によって電子式電力量計２から入力された実負荷６についての計測値である。これら計測値の有効電力値Ｗ１，Ｗ３と無効電力値ｖａｒ１，ｖａｒ３の値は、テーブル作成手段２５によって作成されたテーブルで配線の上記誤接続状態に対して規定される、（５-１）〜（５-４）式で計算される図示しない理論値に最も近い値となっている。したがって、判別手段２７により、計測値に最も近い値を持つその理論値が比較手段２６の比較結果から判別され、判別された理論値に応じた配線の接続状態として、１Ｓ端子と1Ｌ端子との配線接続に上記誤接続がある誤接続状態が特定される。
【００４４】
テーブルＮｏ．Ａ２には、３Ｓ端子と３Ｌ端子との配線接続に誤接続がある場合が規定されている。つまり、接続図に破線で示される配線、および、接続端子対応表に斜体の太字で示されるように、３Ｓ端子がＣＴの出力端子３Ｋに接続されるべきところ出力端子３ＬおよびＧに誤接続され、３Ｌ端子がＣＴの出力端子３ＬおよびＧに接続されるべきところ出力端子３Ｋに誤接続されている。この配線の誤接続時における有効電力値Ｗ１，Ｗ３と無効電力値ｖａｒ１，ｖａｒ３の理論値は、基礎データである皮相電力ＰＩ１，ＰＩ３と位相差θ１，θ３に基づいて、同テーブルに示す次の（６-１）〜（６-４）式を用いて算出される。これら各式によって算出される理論値は、テーブル作成手段２５によって配線の上記誤接続に対応してテーブルに記憶される。
Ｗ１＝ＰＩ１ｃｏｓ（θ１＋３０°）  …（６-１）
ｖａｒ１＝ＰＩ１ｓｉｎ（θ１＋３０°）  …（６-２）
Ｗ３＝ＰＩ３ｃｏｓ（θ３＋１５０°）  …（６-３）
ｖａｒ３＝ＰＩ３ｓｉｎ（θ３＋１５０°）  …（６-４）
【００４５】
テーブルＮｏ．Ａ２に並ぶ測定結果は、３Ｓ端子と３Ｌ端子との配線接続に上記誤接続がある時に計測値入力手段２１によって電子式電力量計２から入力された実負荷６についての計測値である。これら計測値の有効電力値Ｗ１，Ｗ３と無効電力値ｖａｒ１，ｖａｒ３の値は、テーブル作成手段２５によって作成されたテーブルで配線の上記誤接続状態に対して規定される、（６-１）〜（６-４）式で計算される図示しない理論値に最も近い値となっている。したがって、判別手段２７により、計測値に最も近い値を持つその理論値が比較手段２６の比較結果から判別され、判別された理論値に応じた配線の接続状態として、３Ｓ端子と３Ｌ端子との配線接続に上記誤接続がある誤接続状態が特定される。
【００４６】
また、図５のテーブルＮｏ．ＥＡ１、Ｎｏ．ＥＡ２および図６のテーブルＮｏ．ＥＡ３には、電圧回路配線と電流回路配線との組み合わせ誤接続時における接続図および接続端子対応表並びに理論値計算式およびベクトル図が示されている。これら誤接続時における接続図および接続端子対応表並びに理論値計算式およびベクトル図は、図示するテーブルＮｏ．ＥＡ１、Ｎｏ．ＥＡ２およびＮｏ．ＥＡ３以外にも、それに続くテーブルが存在するが、それらの図示は省略する。
【００４７】
テーブルＮｏ．ＥＡ１には、１相側と３相側の配線を入れ替えて逆相接続状態になり、１相側のＰ１端子と３相側のＰ３端子との配線接続に誤接続がある場合が規定されている。つまり、接続図に破線で示される配線、および、接続端子対応表に斜体の太字で示されるように、Ｐ１端子がＶＴの出力端子１ｕに接続されるべきところ出力端子３ｖに誤接続され、Ｐ３端子がＶＴの出力端子３ｖに接続されるべきところ出力端子１ｕに誤接続されている。この電圧回路配線の誤接続により、１Ｓ端子がＣＴの出力端子１Ｋに接続されるべきところ出力端子３Ｋに誤接続され、１Ｌ端子がＣＴの出力端子１ＬおよびＧに接続されるべきところ出力端子３ＬおよびＧに誤接続されている。また、３Ｓ端子がＣＴの出力端子３Ｋに接続されるべきところ出力端子１Ｋに誤接続され、３Ｌ端子がＣＴの出力端子３ＬおよびＧに接続されるべきところ出力端子１ＬおよびＧに誤接続されている。
【００４８】
この配線の誤接続時における有効電力値Ｗ１，Ｗ３と無効電力値ｖａｒ１，ｖａｒ３の理論値は、基礎データである皮相電力ＰＩ１，ＰＩ３と位相差θ１，θ３に基づいて、同テーブルに示す次の（７-１）〜（７-４）式を用いて算出される。これら各式によって算出される理論値は、テーブル作成手段２５によって配線の上記誤接続に対応してテーブルに記憶される。
Ｗ１＝ＰＩ３ｃｏｓ（θ３−３０°）  …（７-１）
ｖａｒ１＝ＰＩ３ｓｉｎ（θ３−３０°）  …（７-２）
Ｗ３＝ＰＩ１ｃｏｓ（θ１＋３０°）  …（７-３）
ｖａｒ３＝ＰＩ１ｓｉｎ（θ１＋３０°）  …（７-４）
【００４９】
テーブルＮｏ．ＥＡ１に並ぶ測定結果は、１相側のＰ１端子と３相側のＰ３端子との配線接続に上記誤接続がある時に計測値入力手段２１によって電子式電力量計２から入力された実負荷６についての計測値である。これら計測値の有効電力値Ｗ１，Ｗ３と無効電力値ｖａｒ１，ｖａｒ３の値は、テーブル作成手段２５によって作成されたテーブルで配線の上記誤接続状態に対して規定される、（７-１）〜（７-４）式で計算される図示しない理論値に最も近い値となっている。したがって、判別手段２７により、計測値に最も近い値を持つその理論値が比較手段２６の比較結果から判別され、判別された理論値に応じた配線の接続状態として、１相側のＰ１端子と３相側のＰ３端子との配線接続に上記誤接続がある誤接続状態が特定される。
【００５０】
テーブルＮｏ．ＥＡ２には、テーブルＮｏ．Ｅ１に規定されている電圧回路配線についての誤接続と、テーブルＮｏ．Ａ１に規定されている電流回路配線についての誤接続とが組み合わされた誤接続がある場合が規定されている。つまり、接続図に破線で示される配線、および、接続端子対応表に斜体の太字で示されるように、ＶＴの出力端子１ｕと出力端子１ｖとの配線接続が入れ替わり、Ｐ１端子がＶＴの出力端子１ｕに接続されるべきところ出力端子１ｖに誤接続され、Ｐ２端子がＶＴの出力端子１ｖ，３ｕおよびＧに接続されるべきところ出力端子１ｕ，３ｕおよびＧに誤接続されている。さらに、１Ｓ端子と1Ｌ端子との配線接続が入れ替わり、１Ｓ端子がＣＴの出力端子１Ｋに接続されるべきところ出力端子１ＬおよびＧに誤接続され、1Ｌ端子がＣＴの出力端子１ＬおよびＧに接続されるべきところ出力端子１Ｋに誤接続されている。
【００５１】
この配線の誤接続時における有効電力値Ｗ１，Ｗ３と無効電力値ｖａｒ１，ｖａｒ３の理論値は、基礎データである皮相電力ＰＩ１，ＰＩ３と位相差θ１，θ３に基づいて、同テーブルに示す次の（８-１）〜（８-４）式を用いて算出される。これら各式によって算出される理論値は、テーブル作成手段２５によって配線の上記誤接続に対応してテーブルに記憶される。
Ｗ１＝ＰＩ１ｃｏｓ（θ１＋３０°）  …（８-１）
ｖａｒ１＝ＰＩ１ｓｉｎ（θ１＋３０°）  …（８-２）
Ｗ３＝ＰＩ３ｃｏｓ（θ３＋３３０°）  …（８-３）
ｖａｒ３＝ＰＩ３ｓｉｎ（θ３＋３３０°）  …（８-４）
【００５２】
テーブルＮｏ．ＥＡ２に並ぶ測定結果は、ＶＴの出力端子１ｕと出力端子１ｖとの配線接続、および、１Ｓ端子と1Ｌ端子との配線接続に上記誤接続がある時に、計測値入力手段２１によって電子式電力量計２から入力された実負荷６についての計測値である。これら計測値の有効電力値Ｗ１，Ｗ３と無効電力値ｖａｒ１，ｖａｒ３の値は、図３に示す配線の正常接続状態時に計測値入力手段２１によって入力される計測値と同じ値となり、テーブル作成手段２５によって作成されたテーブルで配線の上記誤接続状態に対して規定される（８-１）〜（８-４）式で計算される図示しない理論値と最も近い値になると同時に、図３に示す配線の正常接続状態に対して規定される（３-１）〜（３-４）式で計算される図示しない理論値にも最も近い値となってしまう。
【００５３】
これは、上記の（８-３）式および（８-４）式の右辺における余弦および正弦の位相であるθ３＋３３０°＝θ３−３０°となり、（８-３）式および（８-４）式に示される有効電力値Ｗ３と無効電力値ｖａｒ３の値が（３-３）式および（３-４）式に示される正常接続状態時の値と同じになってしまうからである。したがって、判別手段２７により、配線の上記誤接続状態時における計測値に最も近い値を持つ理論値が、比較手段２６の比較結果から２つ判別されてしまい、配線の接続状態が上記誤接続状態であるのか、正常接続状態であるのか、特定されなくなる。
【００５４】
このため、本実施形態では、比較手段２６は、配線の上記誤接続状態時に計測値入力手段２１によって入力される電圧位相差θp1-p3と、所定の電圧位相差である３００°とをさらに比較する。判別手段２７は、電圧位相差θp1-p3と所定の電圧位相差３００°とについての比較手段２６の比較結果をさらに参照して、配線の接続状態を特定する。電圧位相差θp1-p3が所定の電圧位相差である３００°に一致しない場合には、その電圧位相差θp1-p3と共に計測される計測値は配線の誤接続状態時に計測されたものと、判別手段２７によって判別される。
【００５５】
配線の正常接続状態時に計測値入力手段２１によって入力される電圧位相差θp1-p3は、配線の正常接続状態時のテーブルに並ぶ測定結果（図３参照）に示されるように３００°であり、所定の電圧位相差３００°に一致する。一方、配線の上記誤接続状態時に計測値入力手段２１によって入力される電圧位相差θp1-p3は、テーブルＮｏ．ＥＡ２に並ぶ測定結果に示されるように１２０°であり、所定の電圧位相差３００°に一致しない。このため、１２０°の電圧位相差θp1-p3と共に計測される有効電力値Ｗ１，Ｗ３と無効電力値ｖａｒ１，ｖａｒ３の計測値は、配線の誤接続状態時に計測されたものと判別手段２７によって判別され、配線の接続状態は、ＶＴの出力端子１ｕと出力端子１ｖとの配線接続、および、１Ｓ端子と1Ｌ端子との配線接続に上記誤接続がある誤接続状態であると特定される。
【００５６】
なお、配線の接続状態確認時、計測値入力手段２１によって電子式電力量計２から入力される計測値は、上記のように、配線の各誤接続状態に対してテーブルに規定される２つの理論値と同時に最も近い値になる場合がある。この場合、必ずしも、上記の誤接続時におけるように、電圧位相差θp1-p3と所定の電圧位相差３００°とを比較することによっても、配線の誤接続状態を特定できないことがある。しかし、電圧位相差θp1-p3が所定の電圧位相差３００°に一致しないことから、配線接続に誤接続があること、および、計測値が最も近い値となる２つの理論値に対応する２つの誤接続状態のいずれかであることは分かる。したがって、そのような場合、２つの誤接続状態に絞って配線状態を調査し、確認する必要がある。
【００５７】
図６に示すテーブルＮｏ．ＥＡ３には、テーブルＮｏ．Ｅ１に規定されている電圧回路配線についての誤接続と、テーブルＮｏ．Ａ２に規定されている電流回路配線についての誤接続とが組み合わされた誤接続がある場合が規定されている。つまり、接続図に破線で示される配線、および、接続端子対応表に斜体の太字で示されるように、ＶＴの出力端子１ｕと出力端子１ｖとの配線接続が入れ替わり、Ｐ１端子がＶＴの出力端子１ｕに接続されるべきところ出力端子１ｖに誤接続され、Ｐ２端子がＶＴの出力端子１ｖ，３ｕおよびＧに接続されるべきところ出力端子１ｕ，３ｕおよびＧに誤接続されている。さらに、３Ｓ端子と３Ｌ端子との配線接続が入れ替わり、３Ｓ端子がＣＴの出力端子３Ｋに接続されるべきところ出力端子３ＬおよびＧに誤接続され、３Ｌ端子がＣＴの出力端子３ＬおよびＧに接続されるべきところ出力端子３Ｋに誤接続されている。
【００５８】
この配線の誤接続時における有効電力値Ｗ１，Ｗ３と無効電力値ｖａｒ１，ｖａｒ３の理論値は、基礎データである皮相電力ＰＩ１，ＰＩ３と位相差θ１，θ３に基づいて、同テーブルに示す次の（９-１）〜（９-４）式を用いて算出される。これら各式によって算出される理論値は、テーブル作成手段２５によって配線の上記誤接続に対応してテーブルに記憶される。
Ｗ１＝ＰＩ１ｃｏｓ（θ１＋２１０°）  …（９-１）
ｖａｒ１＝ＰＩ１ｓｉｎ（θ１＋２１０°）  …（９-２）
Ｗ３＝ＰＩ３ｃｏｓ（θ３＋１５０°）  …（９-３）
ｖａｒ３＝ＰＩ３ｓｉｎ（θ３＋１５０°）  …（９-４）
【００５９】
テーブルＮｏ．ＥＡ３に並ぶ測定結果は、ＶＴの出力端子１ｕと出力端子１ｖとの配線接続、および、３Ｓ端子と３Ｌ端子との配線接続に上記誤接続がある時に、計測値入力手段２１によって電子式電力量計２から入力された実負荷６についての計測値である。これら計測値の有効電力値Ｗ１，Ｗ３と無効電力値ｖａｒ１，ｖａｒ３の値は、テーブル作成手段２５によって作成されたテーブルで配線の上記誤接続状態に対して規定される、（９-１）〜（９-４）式で計算される図示しない理論値に最も近い値となっている。したがって、判別手段２７により、計測値に最も近い値を持つその理論値が比較手段２６の比較結果から判別され、判別された理論値に応じた配線の接続状態として、ＶＴの出力端子１ｕと出力端子１ｖとの配線接続、および、３Ｓ端子と３Ｌ端子との配線接続に上記誤接続がある誤接続状態が特定される。
【００６０】
このような本実施形態による電子式電力量計２の配線接続状態判別コンピュータプログラムによれば、上記のように、基礎データ取得手段２３により、電子式電力量計２に接続される配線の各接続状態における、三相電源の所定の２組みの各相間についての皮相電力値ＰＩ１，ＰＩ３と相間電圧Ｐ１，Ｐ３に対する線電流Ｉ１，Ｉ３の位相差θ１，θ３が、基礎データとして取得される。理論値演算手段２４は、取得された基礎データから、配線の各接続状態における、所定の２組みの各相間についての有効電力値Ｗ１，Ｗ３と無効電力値ｖａｒ１，ｖａｒ３を理論値として演算する。演算された理論値は、配線の各接続状態との関係が、テーブル作成手段２５によって作成されるテーブルに規定される。テーブル作成手段２５によって作成されたテーブルに規定される理論値と、計測値入力手段２１によって入力された計測値とは比較手段２６によって比較され、比較手段２６の比較結果から、判別手段２７により、計測値に最も近い値を持つ理論値が判別される。電子式電力量計２の配線の接続状態は、判別されたその理論値に対してテーブルに規定された配線の接続状態として特定される。
【００６１】
したがって、コンピュータを上記各手段として機能させるプログラムをＰＣ１に実行させることで、電子式電力量計２に接続される配線の接続状態を判別することができるようになる。このため、従来のように特別の装置を用意する必要なく、また、各装置間の結線等を行ったりする煩雑な作業をすることなく、簡易に、電子式電力量計２に接続される配線の誤結線の有無を判定することが可能となる。
【００６２】
また、電子式電力量計２の配線接続状態は、基礎データ取得手段２３によって皮相電力値ＰＩ１，ＰＩ３と線電流Ｉ１，Ｉ３の位相差θ１，θ３が基礎データとして取得され、取得された基礎データに基づいて理論値演算手段２４によって理論値が演算されて、比較手段２６で理論値と計測値とが比較されることで、判別される。すなわち、電子式電力量計２の配線接続状態は、理論値に有効電力値を用いることなく判別される。このため、比較手段２６における計測値との比較に用いられる理論値を得る際に、有効電力値を求めるために抵抗負荷Ｒに実際に電流を流す必要はなく、電力を消費して電気料金がかかることはない。また、抵抗負荷Ｒに電流を流さないので、発熱の問題が生じることもなく、また、抵抗負荷Ｒを用いることで模擬負荷３が大型化することもない。
【００６３】
また、本実施形態による電子式電力量計２の配線接続状態判別コンピュータプログラムによれば、模擬負荷３として容量性負荷である進相コンデンサを用い、その定格容量と位相角を負荷値入力手段２２によって入力することで、皮相電力値ＰＩ１，ＰＩ３の理論値は進相コンデンサの定格容量として、位相差θ１，θ３の理論値は進相コンデンサの位相角として、基礎データ取得手段２３によって直ちに取得される。
【００６４】
また、本実施形態による電子式電力量計２の配線接続状態判別コンピュータプログラムによれば、電子式電力量計２から計測値入力手段２１によって入力される所定の２組みの相間電圧Ｐ１，Ｐ３間の電圧位相差θp1-p3と所定の電圧位相差３００°とが、比較手段２６によってさらに比較される。配線の接続状態は、判別手段２７によってその比較結果がさらに参照されて特定される。このため、理論値と計測値との比較だけでは判別することのできない配線の接続状態が特定されるようになり、配線の接続状態をより詳しく特定することが可能となる。
【００６５】
また、本実施形態では、ＰＣ１を、電子式電力量計２の計器情報、および、電子式電力量計２に設定される設定情報を入力する情報入力手段２８と、判別手段２７によって特定される配線の接続状態の情報を、情報入力手段２８によって入力される計器情報および設定情報と共にデータとして出力するデータ出力手段２９としても、機能させる。したがって、電子式電力量計２の配線接続状態確認時に、計測値入力手段２１によって入力された模擬負荷３または実負荷６の計測値をテーブルに規定された理論値と比較することで、電子式電力量計２に接続される配線の接続状態と共に電子式電力量計２の計器情報および設定情報をデータとして得ることができる。したがって、電子式電力量計２の設置状態を正確に把握することができると共に、その設置状態を客観的に第三者に正確に伝達することが可能になる。
【００６６】
なお、上記の実施形態では、基礎データ取得手段２３が、負荷値入力手段２２に入力される模擬負荷３の定格容量と位相角に基づいて求まる皮相電力値ＰＩ１，ＰＩ３と位相差θ１，θ３を基礎データとして取得した場合について、説明した。しかし、基礎データ取得手段２３は、配線の各接続状態で計測値入力手段２１によって入力される模擬負荷３または実負荷６の計測値から基礎データを演算して取得するように構成してもよい。
【００６７】
この場合、基礎データ取得手段２３は、電子式電力量計２によって計測される１側および３側有効電力値Ｗ１，Ｗ３と１側および３側無効電力値ｖａｒ１，ｖａｒ３から、所定の２組みの各相間についての皮相電力値ＰＩ１，ＰＩ３と位相差θ１，θ３の基礎データを次のように演算する。すなわち、皮相電力値ＰＩ１，ＰＩ３の基礎データは、計測値から次の（１０-１）式，（１０-２）式によって演算される。
ＰＩ１＝（Ｗ１２＋ｖａｒ１２）１／２  …（１０-１）
ＰＩ３＝（Ｗ３２＋ｖａｒ３２）１／２  …（１０-２）
【００６８】
また、各位相差θ１，θ３の基礎データは、三相３線における３０°の位相ズレを考慮して、次の（１１-１）式，（１１-２）式から演算される。
θ１＝ｃｏｓ−１（Ｗ１／ＰＩ１）−３０°  …（１１-１）
θ３＝ｃｏｓ−１（Ｗ３／ＰＩ３）＋３０°  …（１１-２）
【００６９】
ただし、電子式電力量計２によって計測されたｖａｒ１，ｖａｒ３の符号が−（マイナス）の場合、各位相差θ１，θ３の基礎データは、次の（１２-１）式，（１２-２）式から演算される。
θ１＝−ｃｏｓ−１（Ｗ１／ＰＩ１）−３０°  …（１２-１）
θ３＝−ｃｏｓ−１（Ｗ３／ＰＩ３）＋３０°  …（１２-２）
【００７０】
本構成によれば、配線の各接続状態で計測値入力手段２１によって入力される模擬負荷３または実負荷６の計測値から、基礎データ取得手段２３の演算により、基礎データが取得される。このため、負荷値入力手段２２を備える必要がなくなり、ＰＣ１によって構成される機能手段が簡素化される。
【符号の説明】
【００７１】
１…パーソナルコンピュータ（ＰＣ）
２…電子式電力量計
２ａ…表示部
２ｂ…端子部
３…模擬負荷
４…センサ
５…ケーブル
６…実負荷
１１…ＲＯＭ
１２…ＲＡＭ
１３…ＣＰＵ
【要約】
【課題】  簡易に、電子式電力量計に接続される配線の誤結線の有無を判定することができる手段を提供する。
【解決手段】  計測値入力手段２１は、電子式電力量計２から各種の計測データを計測値として入力する。負荷値入力手段２２は模擬負荷３の定格容量と位相角を負荷値として入力する。基礎データ取得手段２３は、模擬負荷３の定格容量と位相角に基づいて求まる皮相電力値ＰＩ１，ＰＩ３と位相差θ１，θ３を基礎データとして取得する。理論値演算手段２４は、基礎データから、配線の各接続状態における、所定の２組みの各相間についての有効電力値Ｗ１，Ｗ３と無効電力値ｖａｒ１，ｖａｒ３を理論値として演算する。テーブル作成手段２５は、理論値と配線の各接続状態との関係を規定するテーブルを作成する。比較手段２６は計測値と理論値とを比較し、判別手段２７は、計測値に最も近い値を持つ理論値に応じた配線の接続状態を特定する。
【選択図】  図２【図１】
0006804172.tif 000002
【図２】
0006804172.tif 000003
【図３】
0006804172.tif 000004
【図４】
0006804172.tif 000005
【図５】
0006804172.tif 000006
【図６】
0006804172.tif 000007